(57)【要約】【課題】  その外径が異なる各種の水抜パイプを使用できる水抜孔の構造を提供する。【解決手段】  擁壁３若しくはこれを構成するブロック４に貫設される水抜孔１の構造であって、前記水抜孔１の径が表面６側へ向け段階的に縮径すべく、少なくとも３以上の周壁面２を屈折せしめて連設形成するとともに、全部の周壁面２若しくは少なくとも表面６側と裏面７側の周壁面２を、夫々の縮径度合いを異ならせて表面６側へ向け漸縮状となす。【選択図】  図１
2004251113.tif 000002
【特許請求の範囲】
【請求項１】
擁壁（３）若しくはこれを構成するブロック（４）に貫設される水抜孔（１）の構造であって、前記水抜孔（１）の径が表面（６）側へ向け段階的に縮径すべく、少なくとも３以上の周壁面（２）を屈折せしめて連設形成するとともに、全部の周壁面（２）若しくは少なくとも表面（６）側と裏面（７）側の周壁面（２）を、夫々の縮径度合いを異ならせて表面（６）側へ向け漸縮状となすことを特徴とする水抜孔の構造。
【発明の詳細な説明】
【発明の詳細な説明】
【技術分野】
【０００１】  本発明は、水抜孔の構造に関し、より詳しくは、土留め用の構造物たる擁壁やブロック類に貫設されて、その裏面側にある背面土の含水を表面側に排水するための水抜孔の構造に関する。
【背景技術】
【０００２】  従来の水抜孔の構造としては、擁壁やブロック類の裏面から表面へわたり流水断面（通常、円形）が一定な孔を一方に向けて斜降状に貫設したものが知られている。
【発明が解決しようとする課題】
【０００３】  しかしながら、上記の従来の構造では、流水断面が一定な水抜孔との間に若干の余裕をもって嵌挿される水抜パイプが水抜孔の孔径と同程度の外径をなすもの一種に制約され、特に水抜孔を予め貫設してなるブロック類にあっては、水抜パイプの外径に夫々対応する種々な水抜ブロックを要して品種が多様化するという問題点があった。
本発明は、上記の従来の問題点に鑑みてなされたもので、その外径が異なる各種の水抜パイプを使用できる水抜孔の構造を提供することを課題とする。
【課題を解決するための手段】
【０００４】  上記課題を解決するため、本発明に係る水抜孔の構造は、擁壁３若しくはこれを構成するブロック４に貫設される水抜孔１の構造であって、前記水抜孔１の径が表面６側へ向け段階的に縮径すべく、少なくとも３以上の周壁面２を屈折せしめて連設形成するとともに、全部の周壁面２若しくは少なくとも表面６側と裏面７側の周壁面２を、夫々の縮径度合いを異ならせて表面６側へ向け漸縮状となすことを特徴とする。
かかる構成からなる水抜孔の構造にあっては、少なくとも３以上の周壁面２が屈折状態で連設されることにより、その水抜孔１内には屈折部が少なくとも２個所形成されてなるために、裏面７側にある第一の屈折部ａにおける孔径Ｄと同程度の外径を持つ第一の水抜パイプＰ１、又は、表面上部ｂに縮径して現出する孔径ｄと同程度の外径を持つ第二の水抜パイプＰ２、即ち、その外径が異なる複数の水抜パイプＰに対応可能となって水抜孔１の多様性が向上するのである。しかも、全部の周壁面２若しくは少なくとも表面６側と裏面７側の周壁面２を、夫々の縮径度合いを異ならせて表面６側へ向け漸縮状となすために、前記第一の水抜パイプＰ１はその先端にある外径部５が前記第一の屈折部ａの近傍にある周壁面２と、又、第二の水抜パイプＰ２はその先端にある外径部５が該所の近傍にある周壁面２と夫々当接して固定可能となる。
【発明を実施するための最良の形態】
【０００５】  以下、本発明の実施の形態を、図面を参酌しつつ説明する。
図１（イ）乃至（ハ）は、本実施形態の一例に係る水抜孔１の構造を示し、当該水抜孔１は、擁壁３の必要個所にあって、その軸線Ｘが裏面７側から表面６側へ斜降状をなして貫設される略円筒形状で、その孔径が表面６側へ向け段階的に縮径されるべく、裏面７側から表面６側へ向け少許漸縮状に貫設される周壁面２ａの表面６側の端末に、表面６側へ向けその漸縮度合いが大きく形成された周壁面２ｂを連設するとともに、該周壁面２ｂの端末に、その表面６側へ向け少許漸縮状の周壁面２ｃを連設することで、周壁面２ａ、２ｂ、２ｃの縮径度合いを夫々異ならせ、かかる水抜孔１内に二個所の屈折部ａ、ａ１が形成されてなる。
かかる水抜孔１に水抜パイプを嵌挿するに際し、裏面７側にある第一の屈折部ａの孔径Ｄと同程度の外径を有する大径の水抜パイプＰ１を用いれば、該水抜パイプＰ１は、その先端にある外径部５が屈折部ａの近傍にある周壁面２ａ若しくは２ｂと、又、表面上部ｂに縮径して現出する孔径ｄと同程度の外径を有する小径の水抜パイプＰ２を用いれば、該水抜パイプＰ２は、その先端にある外径部５が該所の近傍にある周壁面２ｃと夫々当接することとなる。ここで、水抜パイプＰ１、Ｐ２を裏面７側から押圧すれば、その外径部５がテーパー面をなす周壁面２ａ、２ｂ又は２ｃと密嵌して水抜孔１内に夫々固定されるのである。
尚、上記水抜パイプＰ１、Ｐ２の外径寸法の設定は、水抜孔１の裏面７側にある第一の屈折部ａ及び表面上部ｂによって行ったが、言及すれば周壁面２ａ、２ｂ及び２ｃは表面６側へ向け夫々先細り状のテーパー面に形成されてなるために、表面上部ｂの孔径ｄよりも大きく、且つ裏面７側の下位に漸開して現出する裏面下部ｃの孔径ｄ′よりも小さい範囲内で、各種の異なる外径を有する水抜パイプが該水抜孔１内に嵌挿可能となるとともに、その先端の外径部５が周壁面２ａ、２ｂ又は２ｃと密嵌状態で固定されるのである。
但し、上記水抜孔１の表面下部ｂ′に縮径して現出する孔径ｄ″以下の外径を持つ水抜パイプを用いれば、図中破線で示す如く、該水抜パイプを擁壁３の表面６側に突出せしめて嵌挿することもできる。【０００６】  次に、図２（イ）乃至（ニ）は、上記水抜孔１の構造を、擁壁を構成するためのブロック４、所謂積みブロックに採用した一例であり、長方形状の面板４ａの背後に控体４ｂが突設されてなるブロック４において、前記面板４ａの表面６から裏面７及び控体４ｂにかけて、その軸線Ｘが傾斜せる水抜孔１を具備させてなるものである。
又、当該水抜孔１にあっては、その厚みが比較的薄く形成された面板４ａの表面６と裏面７間において、外径寸法が異なる２種類の水抜パイプが夫々相応する周壁面２ａ及び２ｃと極力近接して嵌挿されるべく、表面６側へ向けその漸縮度合いが大きく形成された中間部の周壁面２ｂに夫々連設する周壁面２ａ及び２ｃの縮径度合いを僅かに形成することで、該水抜孔１内には二個所の屈折部ａ、ａ１が形成されてなる。【０００７】  而して、その使用にあっては図２（ホ）及び（ヘ）に示す如く、多段に組積されてなる通常のブロック間に上記水抜孔１を具備するブロック４を介在せしめて擁壁を構成し、当該水抜孔１内に水抜パイプを嵌挿する。この際図３（イ）に示す如く、その周壁面２ａの端末にある第一の屈折部ａと同程度の外径を有する大径の水抜パイプＰ１を嵌挿すると、該水抜パイプＰ１の先端の外径部５が屈折部ａの近傍で係止されるとともに、その胴部が周壁面２ａと接する如く位置し、或いは図３（ロ）に示す如く、その周壁面２ｃの上位端末にある表面上部ｂと同程度の外径を有する小径の水抜パイプＰ２を嵌挿すると、該水抜パイプＰ２の先端の外径部５が該所の近傍にある周壁面２ｃに当接するとともに、その胴部が周壁面２ｃと接する如く位置して固定されるので、かかる水抜パイプＰ１又はＰ２のいずれもが水抜孔１内で摺動することはない。
ここでは、ブロック４に採用する水抜孔１の構造として、その面板４ａが長方形に形成された布積み用のブロック４を例示したが、本発明に係る水抜孔１の構造を採用するブロックはこれに限定されず、例えて、図４（イ）に示す如き、面板４ａが略六角形で谷積みとなすブロック４や、同図（ロ）に示す如き、面板４ａが長方形で矢羽積みとなすブロック４にも実施可能であることは無論、図５（イ）乃至（ハ）に示すとおり、長方形をなす面板４ａが大型に形成されてなるブロック４の左右の合端面４ｃに、上述せる水抜孔１を縦方向で半截することで得られる略半円筒形状の水抜孔１１として具備させてもよく、かかる水抜孔１１によれば、隣接せるブロック４の相接する合端面４ｃにあって、表面６側へ斜降状をなす略円筒形状の水抜孔１を連結成形することができる。尚、上記図５（イ）において、面板４ａが正方形に形成されたブロック４′の一方の合端面４ｃにも水抜孔１１′が設けられ、ブロック４、４′の合端面４ｃ間にも水抜孔１が形成される。【０００８】  尚、上記各実施形態における水抜孔の構造はその一例を示し、該水抜孔の大きさ、形状及び擁壁３又はブロック４への傾斜角度等は、上記各実施形態に係るものに限定されず、自由に変更可能である。
又、水抜孔を構成する屈折せる周壁面２の態様も上記各実施形態に示すものに限定されず、例えて図６（イ）に示す如く、外径の異なる３種の水抜パイプＰ１、Ｐ２、Ｐ３が嵌挿可能となるべく、その屈折部をａ乃至ａ３と増加せしめてもよく、或いは、同図（ロ）に示す如く、その屈折部ａ、ａ１を水抜パイプＰの肉厚と同程度の段差を有して水抜孔１の軸線Ｘと直交するべく形成することも可能であるとともに、内腔断面を円形以外の形状となすこともできるもので、かかる周壁面２の態様は、本発明の意図する範囲内で任意に設計変更可能である。
更に、本発明に係る各水抜孔の構造を採用する擁壁及びブロック類の形態も自由であり、所望擁壁及びブロック類の任意の位置に必要数採用すればよく、上記のものに限定されるものではない。
【発明の効果】
【０００９】  本発明に係る水抜孔の構造は、擁壁若しくはこれを構成するブロックに貫設される水抜孔の径が、表面側へ向け段階的に縮径すべく、少なくとも３以上の周壁面を屈折せしめて連設形成するために、その水抜孔内には屈折部が少なくとも２個所形成される。従って、裏面側にある第一の屈折部における孔径と同程度の外径を持つ第一の水抜パイプ、又は、表面上部に縮径して現出する孔径と同程度の外径を持つ第二の水抜パイプ、即ち、その外径が異なる複数の水抜パイプに対応可能となって１の水抜孔における多様性が向上する。しかも、全部の周壁面若しくは少なくとも表面側と裏面側の周壁面を、夫々の縮径度合いを異ならせて表面側へ向け漸縮状となすために、前記第一の水抜パイプはその先端にある外径部が前記第一の屈折部の近傍にある周壁面と、又、第二の水抜パイプはその先端にある外径部が該所の近傍にある周壁面と夫々当接して容易に固定可能となる。
【図面の簡単な説明】
【図１】  本発明の一実施形態に係る水抜孔の構造を示し、（イ）は水抜パイプを嵌挿した状態の縦断面図、（ロ）は（イ）におけるＡ−Ａ端面図、（ハ）は水抜孔の正面図。
【図２】  本発明の一実施形態に係る水抜孔の構造を具備した積みブロックを示し、（イ）は正面図、（ロ）は平面図、（ハ）は左側面図、（ニ）は（イ）におけるＢ−Ｂ断面図、（ホ）は当該積みブロックの組積状態を示す一部正面図、（ヘ）は（ホ）におけるＣ−Ｃ断面図。
【図３】  （イ）は、図２（ヘ）におけるＤ部拡大図、（ロ）は同Ｅ部拡大図。
【図４】  （イ）及び（ロ）は、本発明の一実施形態に係る水抜孔の構造を具備した他の積みブロックが組積された状態を示す一部正面図。
【図５】  本発明の一実施形態に係る水抜孔の構造を具備した大型ブロックを示し、（イ）は組積状態を示す一部正面図、（ロ）は（イ）におけるＦ−Ｆ断面図、（ハ）は（ロ）におけるＨ部拡大図。
【図６】  （イ）及び（ロ）は本発明の他実施形態に係る水抜孔の構造を示す縦断面図。
【符号の説明】
１、１１、１１′…水抜孔、２、２ａ、２ｂ、２ｃ…周壁面、３…擁壁、４、４′…ブロック、４ａ…面板、４ｂ…控体、４ｃ…合端面、５…外径部、６…表面、７…裏面、ａ、ａ１、ａ２、ａ３…屈折部、ｂ…表面上部、ｂ′…表面下部、ｃ…裏面下部、Ｄ、ｄ、ｄ′、ｄ″…孔径、Ｐ…水抜パイプ
【図１】
2004251113.tif 000003
【図２】
2004251113.tif 000004
【図３】
2004251113.tif 000005
【図４】
2004251113.tif 000006
【図５】
2004251113.tif 000007
【図６】
2004251113.tif 000008